(57)【要約】【課題】電波による無線信号にて照明器具を一括制御できるものであって、周囲の環境変化にも対応できる信頼性の高い照明制御システムを提供することにある。【解決手段】リモコン２或いは照明器具４ではコントローラ１からの無線信号Ｘの受信強度を無線回路２１の受信信号レベルからＣＰＵ２４（或いは４５）で計測しその計測結果を情報として、コントローラ１へに送信する。コントローラ１のＣＰＵ２６はこの受信強度の情報を受けて、例えばリモコン２が受信しにくい強度であると判断した場合は、コントローラ１はＣＰＵ１０の制御の下で、そのリモコン２に対して送信する無線信号Ｘの送信回数を増やすことにより、リモコン２がコントローラ１からの無線信号Ｘを受信できる確率を上げて通信の信頼性を確保する。【選択図】        図１
2004265793.tif 000002
【特許請求の範囲】
【請求項１】
ネットワークに接続した端末と、ネットワークを介して端末と接続され端末との間で情報の授受を行うとともに端末からの情報に基づいて制御情報を電波による無線信号で送信する親機と、該親機との間で電波による無線信号によって情報の授受を行い上記制御情報の受信があると照明負荷を制御する子機とを備え、
上記親機と上記子機との間の無線信号による通信環境に対応して、無線信号の送信を制御する機能を上記親機若しくは上記子機に備えていることを特徴とする照明制御システム。
【請求項２】
上記親機に、上記子機から送信される無線信号の送信周波数を検出して、この検出した送信周波数と正常な送信周波数とのずれを求め、求めたずれに対応して送信周波数の変更指示の情報を当該子機に無線信号で送信する機能を備え、上記子機に、受信した変更指示の情報に基づいて送信周波数を制御する機能を備えていることを特徴とする請求項１記載の照明制御システム。
【請求項３】
上記親機に、上記子機が設置されている環境状態を検出する機能を備えるとともに、検出された環境状態から当該子機からの無線信号の送信周波数のずれを求め、求めたずれに対応して送信周波数の変更指示の情報を当該子機に無線信号で送信する機能を備え、上記子機に、受信した変更指示の情報に基づいて送信周波数を制御する機能を備えていることを特徴とする請求項１記載の照明制御システム。
【請求項４】
上記子機に、上記親機から送信された無線信号の受信強度を検出する機能と、検出された受信強度の情報を親機へ無線信号で送信する機能とを備え、
上記親機に、上記子機から送信されくる受信強度の情報に基づいて上記親機から上記子機へ情報を送信する際の、当該情報の送信回数を決定する機能を備えていることを特徴とする請求項１乃至３の何れか記載の照明制御システム。
【請求項５】
上記親機に、ＣＰＵと、上記機能を実現するための動作プログラムを格納したＲＯＭと、プログラムを実行する際に動作プログラムをロードするＲＡＭとを備えていることを特徴とする請求項１乃至４の何れか記載の照明制御システム。
【請求項６】
上記ＲＡＭがＳＲＡＭであることを特徴とする請求項５記載の照明制御システム。
【請求項７】
上記ＲＯＭがフラッシュメモリであることを特徴とする請求項５又は６記載の照明制御システム。
【請求項８】
上記フラッシュメモリには圧縮した動作プログラムを格納し、動作プロラムの実行時に、上記ＲＡＭに展開させることを特徴とする請求項７記載の照明制御システム。
【請求項９】
上記親機に、システムの動作に必要な設定情報を保持する機能を有することを特徴とする請求項１乃至８の何れか記載の照明制御システム。
【請求項１０】
上記子機に、当該子機の状態や当該子機の周囲の外的状態を検知するセンサを備え、該センサの検知情報を上記親機に無線信号で送信することを特徴とする請求項１乃至９の何れか記載の照明制御システム。
【請求項１１】
上記親機は上記子機のセンサの検知情報に基づき、当該子機を制御することを特徴とする請求項１０記載の照明制御システム。
【発明の詳細な説明】
【０００１】
【発明の属する技術分野】
本発明は、家庭や事務所等で一ヶ所から一括で全体の照明負荷を制御を行う照明制御システムに関する。
【０００２】
【従来の技術】
従来、家庭などで一括して照明負荷（以下照明器具という）を制御しようとする場合、一般にそれらを専用の信号線で結び制御する方法がある。この場合制御するために専用線が必要となり、そのための施工工事等が必要になり、新規に設置する場合は作業量は増えるが他の工事と同時に行なうことにより実現することは可能である。また通信ネットワークで照明器具を結び制御する照明制御システムも提供されている（特許文献１）。
【０００３】
しかし既に建設された場合にはその工事も大規模になり、あまりよい方法とは言えない。一方赤外線により制御信号をリモコン送信器からリモコン受信器を備えた照明器具に向けて送信して、当該照明器具を遠隔操作する照明装置は広く普及している。
【０００４】
しかし赤外線では見通し距離しか到達することしかできず、隣の部屋から壁越しに操作することはできなかった（特許文献２）。
【０００５】
そこで電波による無線信号を用いることより、配線をなくし、尚且つ一括で制御する方法を本出願人は提案している（特願２００２−０３９３４１号）。この方法によれば一括で多数の照明器具を制御でき、さらにゲートウェイを介してネットワークに接続することによって外部へ情報の送信や、外部から家の中の照明器具の制御を行なうことができるという利点がある。
【０００６】
【特許文献１】
特開２００１−２７３９８０号公報
【特許文献２】
特開平７−５７８７９号公報
【０００７】
【発明が解決しようとする課題】
ところで上述の電波による無線信号を用いて、一括で制御する方法では外部への通信にゲートウェイを介したり、その機能を行なうコンピュータが必要となり、大がかりな構成になる。
【０００８】
また制御を行なうためのプログラムも組み込みマイクロコンピュータ（マイコン）の内蔵されているＲＯＭに記憶されることが一般的であり、バージョンアップ等で書き換えの必要が生じた場合に対応できない。
【０００９】
さらに電波による無線信号を用いる場合、特に特定小電力無線等では電波法で送信周波数周波数の偏差が規定されており（特定小電力無線では±４ｐｐｍ）、その範囲内で送信させる必要があるが、送信周波数の発振制御に用いられている発振子は周囲温度の変化につれて図９のような温度と共に発振周波数が増加する特性をもっているため、通常の温度で温度変化の少ない図のＡの範囲になるように設計する必要があった。
【００１０】
しかしながら発振子の特性や屋外等周囲温度が室温から大きくずれるところではＡの範囲から外れて、結果的に偏差が規定外になってしまい、送信できなくなり、システムとして機能しないという問題があった。
【００１１】
本発明は上記課題を解決するためになされたものであり、その目的とするところは、電波による無線信号にて照明器具を一括制御できるものであって、周囲の環境変化にも対応できる信頼性の高い照明制御システムを提供することにある。
【００１２】
【課題を解決するための手段】
上述の目的を達成するために、請求項１の発明では、ネットワークに接続した端末と、ネットワークを介して端末と接続され端末との間で情報の授受を行うとともに端末からの情報に基づいて制御情報を電波による無線信号で送信する親機と、該親機との間で電波による無線信号によって情報の授受を行い上記制御情報の受信があると照明負荷を制御する子機とを備え、
上記親機と上記子機との間の無線信号による通信環境に対応して、無線信号の送信を制御する機能を上記親機若しくは上記子機に備えていることを特徴とする。
【００１３】
請求項２の発明では、請求項１記載の発明において、上記親機に、上記子機から送信される無線信号の送信周波数を検出して、この検出した送信周波数と正常な送信周波数とのずれを求め、求めたずれに対応して送信周波数の変更指示の情報を当該子機に無線信号で送信する機能を備え、上記子機に、受信した変更指示の情報に基づいて送信周波数を制御する機能を備えていることを特徴とする。
【００１４】
請求項３の発明では、請求項１記載の発明において、上記親機に、上記子機が設置されている環境状態を検出する機能を備えるとともに、検出された環境状態から当該子機からの無線信号の送信周波数のずれを求め、求めたずれに対応して送信周波数の変更指示の情報を当該子機に無線信号で送信する機能を備え、上記子機に、受信した変更指示の情報に基づいて送信周波数を制御する機能を備えていることを特徴とする。
【００１５】
請求項４の発明では、請求項１乃至３の何れかの発明において、上記子機に、上記親機から送信された無線信号の受信強度を検出する機能と、検出された受信強度の情報を親機へ無線信号で送信する機能とを備え、
上記親機に、上記子機から送信されくる受信強度の情報に基づいて上記親機から上記子機へ情報を送信する際の、当該情報の送信回数を決定する機能を備えていることを特徴とする。
【００１６】
請求項５の発明では、請求項１乃至４の何れかの発明において、上記親機に、ＣＰＵと、上記機能を実現するための動作プログラムを格納したＲＯＭと、プログラムを実行する際に動作プログラムをロードするＲＡＭとを備えていることを特徴とする。
【００１７】
請求項６の発明では、請求項５記載の発明において、上記ＲＡＭがＳＲＡＭであることを特徴とする。
【００１８】
請求項７の発明では、請求項５又は６の発明において、上記ＲＯＭがフラッシュメモリであることを特徴とする。
【００１９】
請求項８の発明では、請求項７の発明において、上記フラッシュメモリには圧縮した動作プログラムを格納し、動作プロラムの実行時に、上記ＲＡＭに展開させることを特徴とする。
【００２０】
請求項９の発明では、請求項１乃至８の何れかの発明において、上記親機に、システムの動作に必要な設定情報を保持する機能を有することを特徴とする。
【００２１】
請求項１０の発明では、請求項１乃至９の何れかの発明において、上記子機に、当該子機の状態や当該子機の周囲の外的状態を検知するセンサを備え、該センサの検知情報を上記親機に無線信号で送信することを特徴とする。
【００２２】
請求項１１の発明では、請求項１０の発明において、上記親機は上記子機のセンサの検知情報に基づき、当該子機を制御することを特徴とする。
【００２３】
【発明の実施の形態】
以下本発明を実施形態により説明する。
【００２４】
（実施形態１）
図１は本実施形態の基本的なシステム構成を示しており、ハブＨを介してＬＡＮやＷＡＮのようなネットワークＮに接続された親機たるコントローラ１と、このコントローラ１との間で電波による無線信号Ｘにより情報の送受信を行い、コントローラ１から無線信号で送信される情報内容に応じて赤外線信号Ｙにより対応する照明器具３へ制御信号を送信するリモートコントローラ（以下リモコンという）２と、リモコン２と同様にコントローラ１との間で電波による無線信号Ｘにより情報の送受信を行い、コントローラ１から無線信号で送信される情報内容に応じて照明負荷の点灯制御行う機能を備えた無線送受信機能内蔵の照明器具４と、コントローラ１から赤外線信号Ｙにより送信される制御信号を受信し、受信した制御信号に基づいて照明負荷の点灯制御を行う照明器具５と、ハブＨを介してネットワークＮにコントローラ１と並列的に接続されるパーソナルコンピュータ等のネット端末６と、更にネットワークＮに接続されるネット端末６０と、上記照明器具３とで構成されている。
【００２５】
ここでリモコン２及び照明器具４は親機に対する子機を構成するものであって、リモコン２は対応した照明器具３が設けられている部屋に設置され、照明器具３はリモコン２から赤外線信号Ｙにより送信される制御信号により照明負荷の点灯状態を変化させるようになっている。
【００２６】
照明器具３は図２に示すように赤外線信号Ｙを受信する赤外線受信部３０を備えるとともに、リモコン２から赤外線信号Ｙで送信されてくる制御信号に基づいて照明負荷３３の点灯／消灯、調光等の制御を点灯回路３１を通じて行うＣＰＵ３２を備えている。
【００２７】
一方照明器具４は例えば玄関等に設置される照明器具であって、図３に示すように直接コントローラ１との間で電波による無線信号Ｘにより情報を送受信するための無線回路４１及びそのアンテナ４２を備えるとともに、無線信号Ｘでコントローラ１から送信されてくる制御コマンド情報に基づいて照明負荷４３の点灯／消灯、調光等の制御を点灯回路４４を通じて行うＣＰＵ４５を備え、また必要に応じてセンサ４０を備えている。
【００２８】
尚ＣＰＵ３２や４５には照明器具３や４に必要な動作プログラムやデータを格納しているメモリを備えているが図面では省略する。
【００２９】
コントローラ１はリモコン２や照明器具４との間で無線信号Ｘにより情報の送受信を行い、これら子機を構成するリモコン２に対応する照明器具３や照明器具４を制御するとともに、リモコン２と同様に赤外線信号Ｙを送信する機能を有して、コントローラ１が設置される部屋の照明器具５に赤外線信号Ｙにより制御信号を送信して照明器具５の照明負荷の点灯状態を制御する機能を備えている。
【００３０】
またコントローラ１はネットワークＮに接続し、ネットワークＮを介して外部からの操作データを受け取り、この操作データに基づいて照明器具３乃至５への制御コマンドからなる情報を作成送信する機能を備えている。
【００３１】
図４はコントローラ１の詳細な構成を示しており、コントローラ全体を制御するＣＰＵ１０，ＣＰＵ１０に接続されるネットワークアダプタ１１、無線信号の送受信を行う為の無線回路１２、アンテナ１３、赤外線による制御信号を送信する赤外線送信部１４，ＲＡＭ１５，ＲＯＭ１６、操作部１７、表示部１８から構成される。
【００３２】
操作部１７はＣＰＵ１０の制御の下でリモコン２（照明器具３）、照明器具４及び照明器具５の動作を設定するためのもので、表示部１８は操作部１７の設定結果、またネットワークＮや照明器具３乃至５の状態をＣＰＵ１０の制御の下で表示する。また操作部１７で設定された内容に基づきＣＰＵ１０は各照明器具３、４の照明負荷３３，４３の点灯状態を変化させる制御コマンド等の情報を作成し、この作成した情報を無線信号Ｘとして無線回路１２からアンテナ１３を経由してリモコン２や照明器具４へ送信させる機能を備えている。
【００３３】
またＣＰＵ１０はコントローラ１と同じ部屋にある照明器具５へ赤外線送信部１４から直接赤外線信号Ｙによる制御信号を送信させる機能を備えている。
【００３４】
更にまたネットワークＮに接続されるネット端末６，６０からの情報はネットワークアダプタ１１を介してＣＰＵ１０が取り込んで情報内容に基づいて処理を行うようになっている。
【００３５】
而してコントローラ１では、起動されると、ＣＰＵ１０が内蔵ＲＯＭ等に書き込まれている初期化のプログラムを実行し、このプログラムに基づいた動作によってＲＯＭ１５に内蔵されているコントローラ１の機能を実現する動作プログラムを読み出してＲＡＭ１４に展開させ、これ以降動作プログラムをＲＡＭ１４上から実行する。このようにすることによって、動作プログラムの実行をメモリアクセス速度の速いＲＡＭ１４上で行うため、高速な実行が可能となる。
【００３６】
尚コントローラ１において各種設定を行う場合に次のように行う。つまり設定を行なう画面データをウェブブラウザのデータ（ウェブサーバ機能を持つ）として保持し、ネットワークＮに接続されたパソコン等のネット端末６や６０でウェブブラウザを起動させ、コントローラ１のアドレスを指定して、そのデータを読み出す。コントローラ１はネット端末６や６０から読み出し要求があるとブラウザのデータをネットワークＮに送り出す。そしてネット端末６や６０から必要な設定などの更新が行われると、コントローラ１で対応する設定内容を更新して、必要な動作を行なう。コントローラ１の操作部１７による設定はコントローラ１自身のリセット、直接赤外線信号Ｙによる制御信号を送信すること、更に各種設定モードに入る等基本的に必要最小限とする。このようにしてブラウザのデータとして扱うことにより、コントローラ１では複雑な設定が必要であっても、そのための表示や設定スイッチなどを持つ必要がなくなり、構成が簡単になり、更に設定や表示、操作もブラウザで行なうことで自由度が増し、その変更や設定機能そのものの更新も簡単になる。
【００３７】
また子機を構成するリモコン２や、照明器具４の動作に応じて親機であるコントローラ１の設定のみを変更すればよいので簡単にシステムの拡張を行なうことができる。
【００３８】
一方子機を構成するリモコン２は図５に示すに、コントローラ１との間で無線信号を送受信するためのアンテナ２０、無線信号の送受信を行う無線回路２１、操作部２２、操作の結果などを表示する表示部２３、赤外線信号Ｙを照明器具３に送信するための赤外線送信部２４、リモコン１が設置されている場所の情報を検出するセンサ（例えば人の存在の有無を検出する人感センサ２５）、リモコン２で扱う信号処理と制御を行うＣＰＵ２６で構成される。尚ＣＰＵ２６にはリモコン２としての動作プログラムやデータを格納しているメモリを備えているが図面では省略する。
【００３９】
ここでリモコン２はコントローラ１からの情報を無線信号Ｘで受信すると、ＣＰＵ２６の制御の下で受信情報が照明器具３を操作する制御コマンドであればその内容に応じて、点灯／消灯或いは調光等の制御信号を生成して赤外線送信部２４から赤外線信号Ｙとして送信させる処理を行うとともに動作情報をコントローラ１へ無線回路２１から無線信号Ｘで返す機能を備えている。また付設しているセンサ２５の検知情報を取り込むと、ＣＰＵ２６の制御の下で検知情報を無線回路２１を通じて無線信号Ｘによりコントローラ１へ送信する機能を備えている。
【００４０】
ここでリモコン２は詳細な動作の情報は保持せず、コントローラ１からの動作の指令のコマンドに従って動作するものとする。逆にセンサ２５の検知情報もイベントがあった時若しくはコントローラ１からの要求があれば、コントローラ１へ送信する処理をＣＰＵ２６の制御の下で行うが、ＣＰＵ２６はセンサ２５の検知情報を直接解釈して動作はしないものとする。これによってリモコン２で情報の保持、解釈をする必要がなくなり、リモコン２の構成を比較的簡単な構成にすることができる。
【００４１】
ここで子機を単独で構成する照明器具４では照明器具４自体の動作情報を無線回路４１を通じてコントローラ１へ無線信号Ｘで返すようになっている。
【００４２】
尚照明器具５の構成は照明器具３と同様な構成であるので、構成の詳細な図示は省略する。
【００４３】
さて上述の構成でコントローラ１においてリモコン２（照明器具３），照明器具４等の子機及び直接赤外線信号Ｙを送る照明器具５の登録をまず行なう。登録作業としては例えば子機がこのコントローラ１の信号を受けて動作をし、また動作情報をコントローラ１へ返す関係付けを行なう。また子機や照明器具５の設置場所（リビング、玄関、…等）を設定する。設置場所の情報についてはコントローラ１が保持すればよく、子機は必ずしも保持する必要はない。この作業をすべての子機や照明器具５に対して行なう。
【００４４】
次に各種モードに対する子機や照明器具５の動作を定義する。例えばリモコン２に対応する照明器具３や、照明器具４について夜間は廊下等点灯しておく必要がある場所では暗く点灯させ、他の場所では基本的に消灯させる等の設定を各モード（昼間、夜間、外出、長期不在、…など必要に応じて）に対して行なう。またリモコン２において、センサ２５から検知情報の取り込みがあった場合の動作についても定義する。またイベントに対する外部通報機能の設定もあわせて行なう。更にイベントに対する外部通報の有無やその送り先、送信手段を設定する。また外部からの操作指令に対する動作も定義する。外部への通報は例えばインターネットメール機能を使い、必要な情報を所定のメールアドレス宛に電子メールで送信することによって家に不在の利用者へ情報を提供することができる。以上のような設定を行い、照明制御システム全体を動作させる。
【００４５】
而して通常時にはコントローラ１よりその時間に応じて動作モードを設定し、各設置場所の照明器具３、照明器具４、照明器具５を所定の状態で動作させる。この場合も子機側の照明器具３，４や、照明器具５はそれぞれの動作に対するコマンドや制御信号を受け、夫々の照明負荷の点灯、消灯、調光等の処理を行うだけでよい。たとえば就寝の動作を指定すると、コントローラ１はＣＰＵ２６の制御の下で各照明器具３、４，５の照明負荷を消灯させる制御コマンドを無線信号Ｘや赤外線信号Ｙにより送信し、照明器具３はリモコン２を通じて送られくる制御信号の受信で、照明器具４，５は内部回路の処理で夫々の照明負荷を消灯させる。またモードによっては時間ごとに動作内容を変える。例えば外出モードなどの場合夜間になっても家の照明が点灯していない場合、家の外に対して結果的に不在を知らせてしまうことになり、防犯上問題があるので、夕方の所定の時間になればいくつかの場所（リビング、台所、玄関、等）の照明器具３乃至５の照明負荷をタイマ動作により点灯させ、あたかも外部からは家の中に人がいるようにする。この時も時間の情報はコントローラ１が持ち、上記子機や照明器具５に、その時間に所定の状態で動作せよという制御コマンドや制御信号だけを送信する。子機や照明器具５では点灯の状態だけを管理しモードを管理する必要がない。さらに朝に消し忘れを防止するために消し忘れ防止のイベントを行なうことによって昼間点灯させておく必要のある設置場所以外へは消灯の制御コマンドや制御信号をある時間に送信し、消し忘れを防ぐような動作をさせることができる。
【００４６】
次に子機の情報をコントローラ１が受けて動作する場合（１）乃至（１０）について説明する。
【００４７】
（１）リモコン２の操作に連動して対応する照明器具３以外の照明器具を操作する場合、人が居室にいて何かの必要で部屋の外に出る必要がある場合、通常廊下などの照明は消灯もしくは非常に暗く点灯していることが一般的である。
【００４８】
そこで人が部屋の外に出る場合、リモコン２を設置している部屋を出ることを示す操作部２２のスイッチを操作する。このスイッチ操作があった場合、リモコン２はコントローラ１へその旨の内容示す情報を無線信号Ｘで送信し、コントローラ１はその無線信号Ｘで送られてきた情報を受けて照明が必要な場所を判定し、その場所に設けてある照明器具３に対応するリモコン２や照明器具４に対して点灯の制御コマンドを無線信号Ｘで送る。また照明器具５の場合には赤外線信号Ｙによる制御信号を送信する。ここで制御コマンドの情報を受けたリモコン２では、照明器具３に対して制御コマンドに対応する制御信号を赤外線信号Ｙにより送信し、照明器具３の照明負荷３３を点灯させる。また照明器具４では自己の照明負荷４３を点灯させる。更に照明器具５の場合には受信した制御信号に基づいて照明負荷を点灯させる。
【００４９】
また所定時間経過後に人の通過は終わっているので、必要に応じてコントローラ１は先ほど点灯させた照明器具３のリモコン２や照明器具４或いは照明器具５に対して消灯の制御コマンドの情報或いは制御信号を送信して、それぞれの照明器具３，４，５の照明負荷の状態を元の状態に戻すことも可能である。
【００５０】
（２）上述の（１）の場合には人が明示的に操作をして照明器具を点灯させたが、これをリモコン２（或いは照明器具４）に内蔵した人感センサのようなセンサ２５（或いは４０）の検知によって自動で行なう場合について説明する。
【００５１】
例えば人が部屋から廊下に出た場合、廊下に設置してあるリモコン２（或いは照明器具４）のセンサ２５（或いは４０）がその人を検知する。これによってそのリモコン２（或いは照明器具４）はまず対応する照明器具３の照明負荷３３（或いは自己の照明負荷４３）を点灯させる。さらに検知があったことを検知情報としてコントローラ１に送信する。コントローラ１はその検知情報を受けて、他の廊下の照明器具４や照明器具３に対応するリモコン２（或いは照明器具４）に点灯の制御コマンドを送信する。また照明器具５には赤外線信号Ｙにより制御信号を送信する。
【００５２】
そしてリモコン２の場合にはその制御コマンドを受けて対応する照明器具３へ点灯のための制御信号を赤外線により送信して対応する照明器具３の照明負荷３３を点灯させる。また照明器具４では制御コマンドに対応して照明負荷４３を点灯し、また照明器具５では制御信号に対応して照明負荷を点灯する。
【００５３】
そして人が動くに連れて他のリモコン２のセンサ２５から検知情報が送信されると、コントローラ１は受信したその検知情報に応じて点灯させる必要のある照明器具３、４，５を判断し、それらの照明器具３、４、５の照明負荷を点灯させるための制御コマンドや制御信号を送信する。
【００５４】
このような動作をすることによって、人の動きに応じた部位の照明を自動で点灯させることができる。また人の通過が終わるであろう所定時間経過後には点灯させた照明器具３、４、５の照明負荷を消灯させる消灯コマンドや制御信号を順次送信することによって夫々の照明器具３、４、５の照明負荷を消灯させる。
【００５５】
（３）リモコン２（或いは照明器具４）に付設する人感センサからなるセンサ２５（或いは４０）の検知によって異常とみなし、外部に異常を通報する場合について説明する。
【００５６】
つまり、外出などで家に人がいなくなることを想定した外出モードを設定した場合、例えばリモコン２（或いは照明器具４）に備えたセンサ２５（或いは４０）を動作させておく。そして動作状態にあるセンサ２５が侵入者を検知した場合、リモコン２（或いは照明器具４）はコントローラ１にその検知情報を送信する。コントローラ１はその検知情報を受けて、その設置場所や受信時刻等を記憶する。さらにこの検知の内容の電子メール（例えば、１０時５０分にリビングで人の検知がありましたと言った内容）を予め設定してあるメールアドレス宛にネットワークＮを通じて送信する。このようにすることによって、そのためユーザは不在時にも特別な防犯装置を用いることなく、外出先において携帯電話のようなのネット端末６０で不在者の侵入を知ることができる。
【００５７】
（４）またリモコン２（或いは照明器具４）に付設するセンサ２５（或いは４０）がフォトダイオードのような明るさセンサの場合であって、センサ２５（或いは４０）によって対応する照明器具３の照明負荷３３や（或いは照明器具４の照明負荷４３）の点灯、消灯を判定する場合、リモコン２（或いは照明器具４）はそのセンサ２５（或いは４０）の明るさ検知情報をコントローラ１に送信する。コントローラ１はその検知情報からリモコン２（或いは照明器具４）の設置場所の明るさを判定し、昼間など照明が点灯させる必要がないと判断された場合は、所定のモード動作下であってもそのリモコン２（或いは照明器具４）に対しては点灯の制御コマンドを送らない。一方そのリモコン２（或いは照明器具４）からの明るさ検知情報から設置場所が暗いと判断されるレベルになった場合に、コントローラ１は初めて当該リモコン２（或いは照明器具４）に対して点灯の制御コマンドを送信し、対応する照明器具３の照明負荷３３（或いは照明器具４の照明負荷４３）を点灯させる。同様に暗い状態から明るい状態になった場合は、逆の動作をする。これによってリモコン２（或いは照明器具４）が設置されている状態によって照明器具３の照明負荷３３（或いは照明器具４の照明負荷４３）の点灯、消灯を制御して、不必要な点灯、消灯を防ぐことができる。
【００５８】
（５）リモコン２（或いは照明器具４）に明るさセンサからなるセンサ２５（或いは４０）を設け、このセンサ２５（或いは４０）によって対応する照明器具３の照明負荷３３（或いは照明器具４の照明負荷４３）の点灯、消灯を判定する場合、つまりコントローラ１の経由なしで行う場合、上述の（４）と同様にセンサ２５（或いは４０）の明るさ検知情報をコントローラ１へ無線信号Ｘにより送信する。
【００５９】
ただしこの場合、リモコン２（照明器具４）で明るさ検知情報を保持する。明るさ検知情報は明るい、暗い程度の簡単な情報であるので、保持してもリモコン２（或いは照明器具４）には大きな負担にならない。そしてコントローラ１から点灯の制御コマンドが送信されてきた場合にリモコン２（或いは照明器具４）のＣＰＵ２６（或いはＣＰＵ４５）はセンサ２５（或いは４０）の検知情報から周囲が明るいと判断される場合は、照明器具３の照明負荷３３（或いは照明器具４の照明負荷４３）を点灯させず、消灯状態を保持する。
【００６０】
そしてリモコン２（或いは照明器具４）のセンサ２５（或いは４０）の検知情報から周囲が暗いと判断されるようになって、初めてリモコン２は照明器具３を点灯させる制御信号を照明器具３へ送信させて照明器具３を点灯させる。或いは照明器具４では自己の照明負荷４３を点灯させる。
【００６１】
消灯の場合も同様に考えて動作する。リモコン２（或いは照明器具４）側で設置場所周囲の明るさを判断するので、コントローラ１の負担が軽くなり、またコントローラ１に送信する手間も省けるのでリモコン２（照明器具４）の負担が軽くなる。
【００６２】
（６）リモコン２の明るさセンサからなるセンサ２５によって、コントローラ１の制御下にある照明器具３，４，５の照明負荷の点灯、消灯を判断する場合、外出モードなどにおいて暗くなった場合に、門柱やポーチに設置されたリモコン２の明るさセンサからなるセンサ２５の検知情報をコントローラ１は受信する。そして外が暗くなったと判断される場合、門柱、ポーチ、アプローチライト等屋外の照明器具３に対応するリモコン２や照明器具４へ点灯の制御コマンドを送信する。これにより、屋外の照明器具３或いは照明器具４は夜間の状態になる。同様に照明器具５の場合には赤外線信号Ｙによる制御信号をコントローラ１から送信して照明器具５の照明負荷を点灯させる。
【００６３】
更にコントローラ１は上記判断に基づき、屋内に予め指定したリモコン２や照明器具４に対しても点灯の制御コマンドを送信する。これにより、あたかも家の中には人がいるようになり、防犯効果が高まる。またタイマの動作に比べて外部の明るさに連動して動作するので、天候の状態に即して動作できるメリットがある。
【００６４】
更にまた周囲が明るくなった場合は逆に照明器具３の照明負荷４３（或いは照明器具４の照明負荷４３）を消灯させる制御コマンドをコントローラ１から対応するリモコン２（或いは照明器具４）へ送信し、あたかも人が家の中で照明器具３や４を制御しているように消灯させることによって、防犯効果を高めることができる。またコントローラ１から照明器具５に赤外線信号Ｙによる制御信号を送って同様に動作せることもできる。
【００６５】
（７）照明器具３或いは照明器具４のランプ（照明負荷）切れを検知し、外部に知らせる場合、リモコン２（或いは照明器具４）の明るさセンサからなるセンサ２５（或いは照明器具４）でランプ（照明負荷）の不点を検知し、その検知情報をコントローラ１に送信する。コントローラ１はそのリモコン２に対応する照明器具３或いは照明器具４に使用しているランプ（照明負荷）の種類を登録されている情報に基づいて識別し、「リビングの６０Ｗ白熱電球が不点になりました」と言った内容の電子メールをネットワークＮを通じて所定のメールアドレス宛に送信する。こうすることにより利用者はランプ切れを外出中に知ることができ、家に帰るまでにランプ手配をすることができて、家の中のランプが不点である時間を最小限にすることができる。またこの内容の電子メールをコントローラ１より近所の電気店に送信すれば、その電気店で自動的に手配することもでき、補充の手間が大幅に省略することができる。
【００６６】
（８）リモコン２や照明器具４はコントローラ１に比べて電波の受信状態が悪いところに設置されることが多い、そのためコントローラ１がリモコン２（或いは照明器具４）の送信信号を受信する場合に比べて、リモコン２（或いは照明器具４）がコントローラ１の信号を受信する方が困難であることが考えられる。そこでリモコン２（或いは照明器具４）ではコントローラ１からの無線信号Ｘの受信強度を無線回路２１の受信信号レベルからＣＰＵ２４（或いは４５）で計測しその計測結果を情報として、コントローラ１へに送信する。
【００６７】
コントローラ１のＣＰＵ２６はこの受信強度の情報を受けて、例えばリモコン２（或いは照明器具４）が受信しにくい強度であると判断した場合は、コントローラ１はＣＰＵ１０の制御の下で、そのリモコン２（或いは照明器具４）に対して送信する無線信号Ｘの送信回数を増やすことにより、リモコン２（或いは照明器具４）がコントローラ１からの無線信号Ｘを受信できる確率を上げて通信の信頼性を確保する。更に通信の順序を受信強度が弱いリモコン２（照明器具４）に対しては先に送信して、混信を減らすことによって通信の信頼性を高める処理を行う。
【００６８】
（９）部屋の在室時間を知らせるために、リモコン２（或いは照明器具４）に設けた人感センサからなるセンサ２５（或いは４０）の検知情報をコントローラ１において蓄積する。そしてその検知情報を基にそのリモコン２が設置されている部屋の在不在のパターンをＣＰＵ１０において判断し、予め人が部屋にいることが予想される時間については予めコントローラ１より部屋の点灯のコマンドを送信しておき、人が入った時に部屋の照明が消灯していることを防ぐようにする。
【００６９】
（１０）利用者が外出していて、家に帰って来る場合、外部から照明器具３，４，５を操作する場合、予め部屋の照明を点灯させておきたい。そこで利用者はコントローラ１に対して、所望の部屋の照明器具３、４、５の照明負荷を点灯させる制御コマンドを電子メールで送信する。コントローラ１はその電子メールを受信するとその内容を判断して所定の照明器具３、４、５の照明負荷を点灯するように制御コマンドをリモコン２，照明器具４に、また赤外線による制御信号を照明器具５に送信する。リモコン２ではその制御コマンドを受信して、対応する照明器具３を点灯させる必要がある場合は点灯の制御信号を赤外線で送信する処理を行なう。また照明器具４や５では受信した制御コマンド或いは制御信号に基づいて照明負荷を点灯制御する処理を行う。
【００７０】
これらの制御によって利用者が帰ってきた際に、部屋の照明器具３、４、５の照明負荷が点灯しており、不安なく家に帰ることができる。実際のシステムにおいてはこれらの動作を組み合わせた動作をすることによって、より利用しやすいシステムを構成すればよい。
【００７１】
ところで図１のＲＡＭ１５としてＳＲＡＭを用いると、通常用いられるＤＲＡＭの構成に比べて、低消費でかつ、メモリへのアクセスが直接アドレス指定できるので、高速でのアクセスが可能となる。
【００７２】
またＲＯＭ１６として通常用いられるＰＲＯＭの代わりに書き換え可能なフラッシュＲＯＭを用い、上記ＳＲＡＭをＲＡＭ１５として用い、更にＣＰＵ１０の動作プログラムをフラッシュＲＯＭからなるＲＯＭ１６に圧縮した形で保存し、実行時にＲＯＭ１６からＳＲＡＭからなるＲＡＭ１５へ圧縮したデータを展開することによって、ＲＯＭ１６のデータ記憶領域のサイズを小さくすることができる。
【００７３】
更にプログラムの展開の方法として次のように行う起動もしくはリセット解除時にＣＰＵ２６の内蔵ＲＯＭに書かれているプログラムよって、フラッシュＲＯＭ等からなるＲＯＭ１６へアクセスする。ＲＯＭ１６のデータを順番に読み出し、それを本来の動作プログラムに解凍・展開していく。そして必要となる全てのデータを解凍終了後、そのＳＲＡＭ等のＲＡＭ１５上に解凍・展開したプログラムを実行させ、必要となる動作を行なう。
【００７４】
その後の動作は上述した通りである。また動作プログラムをフラッシュＲＯＭからなるＲＯＭ１６を用いればＲＯＭ１６に一度書き込んだ後に、バージョンアップ等が生じてもＲＯＭをつけかえることなく、動作プログラムをバージョンアップさせることができる。その方法としては書き換えの必要が生じた場合、書き換え指令によって、ＣＰＵ２６がネットワークＮの経由でそのデータをダウンロードする指示をネットワークＮのサーバ（図示せず）へ送る。その結果ネットワークＮ上のサーバからプログラムデータをネットワークアダプタ１１を通じてコントローラ１のＲＡＭ１５に順次記憶させる。そしてＲＡＭ１５に全データが揃った時点でＣＰＵ２６の制御の下でフラッシュＲＯＭからなるＲＯＭ１６にデータを順次書き込む処理を行う。以上の処理によりＲＯＭ１６を取り替えることなくバージョンアップが完了する。このようにすることにより次の（１）乃至（３）のメリットがある。
【００７５】
（１）データ記憶用のメモリサイズを小さくできる。
【００７６】
（２）動作プログラムのバージョンアップが可能である。
【００７７】
（３）プログラムデータが圧縮されており、その圧縮アルゴリズムはＣＰＵ２６に内蔵されているため、通常はそのアルゴリズムを外部のものには分からない（組み込み部分であり、読み出し不可）ので、圧縮されたデータの入ったＲＯＭ１６を第三者が読み出しても内容を理解することができず、そのためデータの読み出しを防ぐことができ装置のセキュリティが向上する。
【００７８】
（実施形態２）
上記実施形態１では、上述しようように受信強度に応じてコントローラ１からの無線信号の送信回数を設定することで、受信強度が低くても、コントローラ１からリモコン２や照明器具４への情報伝達を確実なものとして伝送の信頼性を高めているが、従来の技術で述べたように、無線回路１２、２１、４１には発振子を用いているため周囲温度によって図９のような特性で変化する。
【００７９】
そのため、例えば特定小電力無線においては現在の電波法において周波数変位が４ｐｐｍ以内とされており、温度環境が変化するとずれが大きくなり送信できなくなる。一般に無線回路は図６に示すようなブロック構成になっている。
【００８０】
このブロックについて無線回路１２を例にして説明する。このブロックでは送信情報ＴｘＤＡＴＡをローパスフィルタＬＰＦ３を通じて送信側ＶＣＯ１０３Ｔｘ、アッテネータＡＴＴ，増幅器Ａｍｐ，ローパスフィルターＬＰＦ２，アンテナ切り換えスイッチＳＷとを介してアンテナ１３を通じて所定の周波数の無線信号で送信する送信系と、アンテナ１３を介して受信された受信信号はアンテナ切り換えスイッチＳＷ、ローノイズアンプＬＮＡ、バンドパスフィルタＢＰＦ１、第１ミキサＭＩＸ１、バンドパスフィルタＢＰＦ２、第２ミキサＭＩＸ、バンドパスフィルタＢＰＦ３、ＦＭ検波器Ｋ、ローパスフィルタＬＰＦ１、コンパレータＣＰを経ることで受信情報ＲｘＤＡＴＡが復調されるようになっている。
【００８１】
そしてＶＣＯ１０３ＴｘはＰＬＬ回路１００からの位相差信号をループフィルタ１０１Ｔｘで平滑した直流電圧に対応した周波数（例えば４２６ＭＨｚ）で発振しその周波数を送信情報をＴｘＤＡＴＡを搬送する形で出力する。
【００８２】
一方ミキサＭＩＸ１ではＰＬＬ回路１００からの位相差信号をループフィルタ１０３Ｒｘで平滑した直流電圧に対応せる周波数（例えば４０５ＭＨｚ）と受信周波数４２６ＭＨｚとを混合して２１．３ＭＨｚの信号を得るようになっている。そして第２ミキサＭＩＸではＰＬＬ回路１００の基準発振周波数を得る発振子１０２の発振周波数（２１．２５ＭＨｚ）と上記２１．３ＭＨｚの信号とを混合して５０ＫＨｚの信号を得るようになっている。そしてバンドパスフィルタＢＰＦ３の信号を受信強度表示信号ＲＳＳＩとして取り出すようになっている。上述の実施形態１の場合、子機側での受信強度検知は子機側の無線回路のこの信号を利用する。尚ＰＬＬ回路１００を構成する汎用のＩＣには後述する分周期（分周比）を設定する入力端や動作情報を出力端を備えているが図では省略している。
【００８３】
このような回路を用いた無線回路１２において、送信する際の送信周波数は図で示すＰＬＬ回路１００の部分で設定される。
【００８４】
次にＰＬＬ回路１００の動作を図７を用いて以下に説明する。
【００８５】
まず基準発振周波数（例えば２１．２５ＭＨｚ）は水晶振動子からなる発振子１０２よりＰＬＬ回路１００に供給する。次いでＰＬＬ回路１００内の基準分周器１０４の分周期（分周比）をＡにセット（Ａはソフト的に書き換え可能）する。またＰＬＬ回路１００内の比較分周器１０５の分周期（分周比）をＢにセット（Ｂはソフト的に書き換え可能）する。
【００８６】
そしてＰＬＬ回路１００を動作させると、位相比較器１０５は、ＶＣＯ（電圧制御発振器）１０３Ｔｘの発振周波数Ｆを比較分周器１０６で割り算した値＝Ｆ／Ｂと基準分周器１０４で基準発振周波数をＡで割り算した値Ｃとの位相（周波数）を比較し、位相差信号を出力する。
【００８７】
ループフィルタ１０１Ｔｘは位相差信号を内蔵せるＬＰＦにより平滑化し、この平滑により得た直流電圧をＶＣＯ１０３Ｔｘに供給する。
【００８８】
ＶＣＯ１０３Ｔｘは、直流電圧に対応した周波数を発振する発振器であるので、ループフィルタ１０１Ｔｘの出力に伴った発振を行う。
【００８９】
このＶＣＯ１０３Ｔｘの発振出力は再び、比較分周器１０２にフィードバックされる。
【００９０】
上記ＰＬＬ回路１００の動作が繰り返されることによって、Ｆ／Ｂの値が周波数Ｃになり、発振周波数が固定され、上記の手順で周波数を合わす。
【００９１】
ここで周波数Ｃを１ｋＨｚにすると１ｋＨｚ単位のステップで周波数を変更できる。このためには基準発振周波数が２１．２５ＭＨｚであるので、Ａ＝２１２５０とする。この時に所望の周波数を４２６．２５０ＭＨｚとすると、上記の計算により、Ｂ＝４２６２５０にするとよいことになる。
【００９２】
ここで図８において通常の発振子の特性を特性１とすると、特性２は広い温度範囲において周波数変動が少ない。しかしながらこのような特性２を持つ発振子は発振子のユニットの中に温度補償回路を入れ発振部を同じ温度に保たせたものや、発振子そのものの特性が優れたものを用いる必要があり、高価になるためシステム全体に利用するのは合理的でない。
【００９３】
そのため本実施形態では、コントローラ１にのみ、図８で示す特性２を持った温度特性の優れた発振子１０２を用い、一方リモコン２（或いは照明器具４）には通常の特性１のものを用いる。
【００９４】
コントローラ１では無線回路１２に用いる発振子１０１の特性が優れているため、その周波数を基準と考え、リモコン２（或いは照明器具４）から送信されてくる送信信号を無線回路１２で受信して、その送信信号の送信周波数のずれをＣＰＵ１０の信号処理の下で検出する。
【００９５】
その周波数のずれが例えば＋３ｋＨｚの４２６．２５３ＭＨｚの場合、リモコン２での送信周波数を３ｋＨｚ下げる必要がある。そこでコントローラ１よりリモコン２に対して無線回路２１のＰＬＬ回路１００の設定を変更する指令を送信する。この場合、見かけ上４２６．２４７ｋＨｚで送信すればいいことになるので比較分周期Ｂの値を４２６４２７と指示する。この結果、リモコン２（或いは照明器具４）ではＣＰＵ２６の制御の下で無線回路２１からは正しい４２６．２５０ＭＨｚで送信されることになる。
【００９６】
更に通常はコントローラ１は屋内に設置されることが多いため温度変動も少なく安定して利用できる。
【００９７】
以上により、高価な発振子をコントローラ１のみに用い、リモコン２（或いは照明器具４）の無線信号Ｘの送信周波数をコントローラ１側で検出してリモコン２に補正させる指示を与えることによって、周波数の変動がない安定した通信を行なうことができる。
【００９８】
（実施形態３）
上記実施形態では高価な発振子をコントローラ１のみに用い、リモコン２の周波数を検出して補正させることによって、周波数の変動がない安定した通信を行なうようにしているが、本実施形態では、コントローラ１で子機の周囲温度を測定し、リモコン２の無線回路２１（或いは照明器具４の無線回路４１）の無線信号Ｘの送信周波数を制御するようにしたものである。
【００９９】
つまり温度測定にあたっては実施形態１で説明したリモコン２（或いは照明器具４）にセンサ２５（或いは４０）として温度センサを設け、そのセンサ２５（或いは４０）の温度検知情報を利用する（若しくはそのリモコン２や照明器具４の周囲の温度を検出する温度センサを別体に設けてその温度検知情報を用いても良い）。
【０１００】
ここで無線回路２１（或いは４１）に用いられている発振子は図９で示す特性を持っているので、設置されている場所の温度が分かれば、図９よりその周波数のずれを算出することができる。例えばコントローラ１のＣＰＵ１０がリモコン２から送られてくる温度検知情報に基づいて周波数のずれを算出し、その周波数のずれが例えば３ｋＨｚであれば、上記実施形態と同様にそのずれを補正する無線回路２１に使用するＰＬＬ回路内の比較分周器の分周期の値をコントローラ１からリモコン２（或いは照明器具４）に指示するコマンドを送信することで、リモコン２（或いは照明器具４）からは所望の正しい周波数で送信することができる。リモコン２（或いは照明器具４）が設置されている場所の温度から周波数のずれを検出し、リモコン２（或いは照明器具４）の送信周波数を補正することで高価な発振子などを用いることなく、周波数ずれをなくして送信させることができるのである。
【０１０１】
尚実施形態１に実施形態２或いは３の子機側の送信周波数の補正の構成を用いても勿論良い。
【０１０２】
【発明の効果】
請求項１の発明は、ネットワークに接続した端末と、ネットワークを介して端末と接続され端末との間で情報の授受を行うとともに端末からの情報に基づいて制御情報を電波による無線信号で送信する親機と、該親機との間で電波による無線信号によって情報の授受を行い上記制御情報の受信があると照明負荷を制御する子機とを備え、
上記親機と上記子機との間の無線信号による通信環境に対応して、無線信号の送信を制御する機能を上記親機若しくは上記子機に備えているので、電波による無線信号によって照明負荷を一括制御することができるシステムが提供できる上に、通信環境に応じて無線信号の送信を制御することで、通信環境が変換しても安定した無線信号の送受信が可能となり、そのため信頼性の高いシステムを構築できるという効果がある。
【０１０３】
請求項２の発明は、請求項１記載の発明において、上記親機に、上記子機から送信される無線信号の送信周波数を検出して、この検出した送信周波数と正常な送信周波数とのずれを求め、求めたずれに対応して送信周波数の変更指示の情報を当該子機に無線信号で送信する機能を備え、上記子機に、受信した変更指示の情報に基づいて送信周波数を制御する機能を備えているので、子機の周囲の温度の影響で子機からの無線信号の送信周波数がずれても、親機側でこれを検出し、正常な送信周波数となるように子機に指示することができ、そのため周囲温度の影響を受けずに安定した無線信号の送受信が可能となり、結果子機側の無線回路に通常に入手できる発振子を用いて、周波数ずれのない、品質のよい電波を送信することができて、通信の到達性能も向上することができそのため信頼性の高いシステムを構築でき、また子機に高価な特性の優れた発振子を用いる必要がないためコストも安価となるという効果がある。
【０１０４】
請求項３の発明は、請求項１記載の発明において、上記親機に、上記子機が設置されている環境状態を検出する機能を備えるとともに、検出された環境状態から当該子機からの無線信号の送信周波数のずれを求め、求めたずれに対応して送信周波数の変更指示の情報を当該子機に無線信号で送信する機能を備え、上記子機に、受信した変更指示の情報に基づいて送信周波数を制御する機能を備えているので、請求項２の発明と同様な効果がある。
【０１０５】
請求項４の発明は、請求項１乃至３の何れかの発明において、上記子機に、上記親機から送信された無線信号の受信強度を検出する機能と、検出された受信強度の情報を親機へ無線信号で送信する機能とを備え、
上記親機に、上記子機から送信されくる受信強度の情報に基づいて上記親機から上記子機へ情報を送信する際の、当該情報の送信回数を決定する機能を備えているので、受信強度が低い場所に子機が設置されている場合においても親機から確実に情報を子機側へ伝達することができ、通信の到達性能も向上することができそのため信頼性の高いシステムを構築できるという効果がある。
【０１０６】
請求項５の発明は、請求項１乃至４の何れかの発明において、上記親機に、ＣＰＵと、上記機能を実現するための動作プログラムを格納したＲＯＭと、プログラムを実行する際に動作プログラムをロードするＲＡＭとを備えているので、動作プログラムのアクセスが早くできる。
【０１０７】
請求項６の発明では、請求項５記載の発明において、上記ＲＡＭがＳＲＡＭであるので、低消費で、しかもメモリへのアクセスが直接アドレス指定できるので、高速でのアクセスが可能となる。
【０１０８】
請求項７の発明では、請求項５又は６の発明において、上記ＲＯＭがフラッシュメモリであるので、動作プログラムのバージョンアップが容易にできる。
【０１０９】
請求項８の発明では、請求項７の発明において、上記フラッシュメモリには圧縮した動作プログラムを格納し、動作プロラムの実行時に、上記ＲＡＭに展開させるので、動作プログラム記憶用のメモリサイズを小さくし、また動作プログラムのバージョンアップが可能で、その上データの読み出しを防ぐことができ、装置のセキュリティが向上する。
【０１１０】
請求項９の発明は、請求項１乃至８の何れかの発明において、上記親機に、システムの動作に必要な設定情報を保持する機能を有するので、子機側に設定するための構成を必要とせず、構成を簡単にすることが可能となる。
【０１１１】
請求項１０の発明では、請求項１乃至９の何れかの発明において、上記子機に、当該子機の状態や当該子機の周囲の外的状態を検知するセンサを備え、該センサの検知情報を上記親機に無線信号で送信するので、子機の状況を親機側で把握してその内容に応じた制御が可能となる。
【０１１２】
請求項１１の発明では、請求項１０の発明において、上記親機は上記子機のセンサの検知情報に基づき、当該子機を制御するので、設置状態に応じた動作を子機にさせることができる。
【図面の簡単な説明】
【図１】本発明の実施形態１のシステム構成図である。
【図２】同上に用いるリモコンで制御される照明器具の回路構成図である。
【図３】同上に用いる無線回路を備えた照明器具の回路構成図である。
【図４】同上に用いるコントローラの回路構成図である。
【図５】同上に用いるリモコンの回路構成図である。
【図６】本発明の実施形態２の説明用の無線回路の一例の回路構成図である。
【図７】同上の無線回路に用いるＰＬＬ回路の構成図である。
【図８】同上に用いる発振子の発振周波数と温度との特性説明図である。
【図９】発振子の発振周波数と温度との特性説明図である。
【符号の説明】
１  コントローラ
２  リモコン
３  照明器具
４  照明器具
５  照明器具
６，６０  ネット端末
Ｎ  ネットワーク
Ｈ  ハブ
Ｘ  無線信号
Ｙ  赤外線信号
【図１】
2004265793.tif 000003
【図２】
2004265793.tif 000004
【図３】
2004265793.tif 000005
【図４】
2004265793.tif 000006
【図５】
2004265793.tif 000007
【図６】
2004265793.tif 000008
【図７】
2004265793.tif 000009
【図８】
2004265793.tif 000010
【図９】
2004265793.tif 000011